(57)【特許請求の範囲】
【請求項１】
火災受信機と、この火災受信機から延び出た電源線兼信号線である一対の伝送線路と、これら伝送線路に直列に次々に挿入され、前記伝送線路の短絡状態を検出する短絡検出用タイマを個別に有する複数個の伝送線路状態検出装置とを備えた火災報知設備において、前記タイマに接続されてその設定時間を設定する手段を設け、この設定手段により前記火災受信機に近いタイマほど設定時間を長く設定し、前記タイマの設定時間以上前記短絡状態を示すときに前記短絡状態が発生した伝送線路区間のみを切り離すことを特徴とする火災報知設備。
【請求項２】
前記伝送線路状態検出装置は、
前記伝送線路に主電流路が直列に挿入され、通常閉じている電子的スイッチと、
このスイッチと並列に接続され且つ高抵抗値を有する抵抗と、
前記スイッチの出力側で前記伝送線路の正導体と負導体の間に接続され、前記伝送線路の伝送電圧を監視する監視装置と、
この監視装置、前記スイッチの制御電流路及び前記伝送線路に接続され、前記タイマ及び前記設定手段を有し、且つ前記伝送電圧が前記タイマの設定時間以上、前記短絡状態を示す時に、前記スイッチを開かせると共に前記短絡状態を示す短絡信号を前記火災受信機へ前記伝送線路を通じて伝送させる検出手段を有する検出装置と、
を含むことを特徴とする請求項１の火災報知設備。
【請求項３】
前記検出装置は、前記スイッチを開かせる開信号及び前記スイッチを閉じさせる閉信号、並びに前記短絡信号を発生するＣＰＵと、前記開信号が供給されることにより前記スイッチを開かせ、また前記閉信号が供給されることにより前記スイッチを閉じさせる制御素子と、前記短絡信号を前記火災受信機へ送信すると共に前記火災受信機から所要の信号を受信する送受信回路とを含むことを特徴とする請求項１または２のいずれかの火災報知設備。
【請求項４】
前記伝送線路状態検出装置は、
前記伝送線路に主電流路が直列に挿入され、通常閉じている電子的スイッチと、
このスイッチと並列に接続され且つ高抵抗値を有する抵抗と、
前記スイッチの出力側で前記伝送線路の正導体と負導体の間に接続され、前記伝送線路の伝送電圧を監視する監視装置であって、前記伝送電圧が前記短絡状態を示す短絡レベルに相当する基準電圧以下になる時に出力を出す短絡検出用コンパレータと、この短絡検出用コンパレータの出力がタイマの設定時間以上継続する時に出力を出す前記タイマ及び前記設定手段とを有する前記監視装置と、
前記短絡検出用タイマの出力に基づいて前記スイッチを開かせる開信号及び前記スイッチを閉じさせる閉信号、並びに前記短絡状態を示す短絡信号を発生するＣＰＵを有する検出装置と、
を含むことを特徴とする請求項１の火災報知設備。
【発明の詳細な説明】
【０００１】
【発明の属する技術分野】
この発明は、伝送線路の短絡状態を検出できる伝送線路状態検出装置を用いた火災報知設備に関するものである。
【０００２】
【従来の技術】
従来、火災報知設備の火災感知器が接続された電源線兼信号線としての伝送線路の一対の導体間に短絡が発生した時に、短絡個所を切り離す回路は、例えば実開平５−２２９４号公報により周知である。また従来の伝送線路状態検出装置としては本出願人によって出願された特願平６ー２９７２５４号に記載されたものがある。
【０００３】
【発明が解決しようとする課題】
しかしながら、このような従来の伝送線路状態検出装置を複数個用い、しかもこれら伝送線路状態検出装置が伝送線路に直列に次々に挿入された火災報知設備では、火災受信機から一番遠く離れた伝送線路状態検出装置の出力側に伝送線路状態検出装置の動作する現象例えば短絡等が発生した場合に、複数個の伝送線路状態検出装置のどれが動作するか分らず、従って本来動作させるべき伝送線路状態検出装置を動作させることができず、正常な部分まで切り離してしまう現象が発生するという課題があった。
【０００４】
そこで、この発明は、このような課題を解決するためになされたもので、伝送線路の短絡時に本来動作させるべき伝送線路状態検出装置を動作させることができる火災報知設備を得ることを目的としている。
【０００５】
【課題を解決するための手段】
請求項１に記載されたこの発明に係る火災報知設備は、伝送線路状態検出装置中の短絡検出用タイマに接続されてその設定時間を設定する手段を設け、この設定手段により火災受信機に近い短絡検出用タイマほど設定時間を長く設定した。
【０００６】
【発明の実施の形態】
以下、この発明を添付図面に示した一実施例について詳しく説明する。
図１はこの発明に係る火災報知設備の一実施例を示すブロック図である。火災報知設備は、火災受信機ＲＥと、この火災受信機ＲＥから延び出た電源線兼信号線である一対の伝送線路の正導体１Ｐ及びアースされた負導体１Ｎと、これら伝送線路に直列に次々に挿入され、伝送線路の短絡状態を検出する後述の短絡検出用タイマを個別に有する複数個例えば３個の伝送線路状態検出装置ＳＣＩ１、ＳＣＩ２及びＳＣＩ３と、火災受信機ＲＥと伝送線路状態検出装置ＳＣＩ１の間の伝送線路区間に接続された端末機器例えば火災感知器としての煙感知器Ｓ、伝送線路状態検出装置ＳＣＩ１とＳＣＩ２の間の伝送線路区間ａに接続された熱感知器Ｈ、伝送線路状態検出装置ＳＣＩ２とＳＣＩ３の間の伝送線路区間ｂに接続された中継器Ｒ及び伝送線路状態検出装置ＳＣＩ３の出力側の伝送線路区間ｃに接続された負荷例えば煙感知器Ｓとを備えている。
【０００７】
伝送線路状態検出装置ＳＣＩ１、ＳＣＩ２、ＳＣＩ３が個別に有する短絡検出用タイマＴ１、Ｔ２、Ｔ３には、火災受信機ＲＥに近いタイマほど長い設定時間、例えばそれぞれ２００ミリ秒、１５０ミリ秒、１００ミリ秒が後述するように設定される。従って、伝送線路区間ｃにて短絡状態が発生したとすると、短絡検出用タイマＴ１、Ｔ２及びＴ３は同時にスタートし、上述した短絡状態が継続すると、短絡検出用タイマＴ３が一番初めにタイムアップするので伝送線路状態検出装置ＳＣＩ３は伝送線路に高抵抗を挿入する。その結果、伝送線路状態検出装置ＳＣＩ３の入力側がリセットされるので、伝送線路状態検出装置ＳＣＩ２及びＳＣＩ１は短絡検出状態でなくなり、その短絡検出用タイマＴ２及びＴ１がリセットされ、伝送線路区間ｂ及びａについては正常な動作が継続する。
【０００８】
次に、伝送線路区間ｂにて短絡状態が発生したとすると、伝送線路状態検出装置ＳＣＩ３は線路電圧が降下しているので動作せず、伝送線路状態検出装置ＳＣＩ２及びＳＣＩ１の短絡検出用タイマＴ２及びＴ１が上述したように動作することにより伝送線路状態検出装置ＳＣＩ２は動作し、伝送線路区間ａについては正常な動作が継続する。
【０００９】
以上、詳しく説明したように、短絡検出用タイマＴ１，Ｔ２及びＴ３の設定時間を火災受信機ＲＥに近いタイマほど長く、従って伝送線路末端に近いタイマほど短く設定することにより、短絡状態が発生した伝送線路区間のみを高抵抗にて切り離し、正常な伝送線路区間に影響のないようにすることができる。
【００１０】
図２は図１に示した火災報知設備に用いられ得る伝送線路状態検出装置例えばＳＣＩ３を一部ブロック図で示す回路図である。なお、伝送線路状態検出装置ＳＣＩ３以外の伝送線路状態検出装置ＳＣＩ２及びＳＣＩ１も、短絡検出用タイマＴ２及びＴ１の設定時間が違う以外、同一構成である。
正導体１Ｐには、伝送線路状態検出装置ＳＣＩ３の通常閉じている電子的スイッチ例えばＦＥＴ２の主電流路が直列に挿入され、この主電流路と並列に、高抵抗値の抵抗３が接続されている。スイッチ２の出力側には、伝送線路の伝送電圧を常時監視する監視装置ＭＭが設けられている。この監視装置ＭＭは、正導体１Ｐと負導体１Ｎの間に接続されて伝送電圧を分圧する複数個例えば２個の分圧抵抗４及び５と、これら分圧抵抗４と５の接続点に接続されて分圧された伝送電圧をアナログ／デジタル変換するＡＤ変換器６とを含む。
【００１１】
検出装置ＤＭは、ＡＤ変換器６に接続されて後述する検出手段を有し且つスイッチ２を開かせる開信号及びスイッチ２を閉じさせる閉信号、並びに後で詳しく説明する短絡信号を発生するマイクロプロセッサＣＰＵ７と、このＣＰＵ７の開／閉信号出力端子ＯＣＯに例えばベースが接続され、エミッタがアースされ、且つコレクタがスイッチ２の制御電流路に接続された制御素子であるトランジスタ８と、このトランジスタ８のコレクタとスイッチ２の入力側の正導体１Ｐとの間に接続された表示灯例えば発光ダイオード９と、スイッチ２の入力側の正導体１ＰとＣＰＵ７の信号出力端子ＳＢＯ及び信号入力端子ＳＢＩとの間に接続され、上述した短絡信号を火災受信機ＲＥへ送信し、また火災受信機ＲＥから所要の信号例えばアドレス信号、呼び掛け信号などを受信する送受信回路１０とを含む。ＣＰＵ７は短絡検出用タイマＴ３を有し、この短絡検出用タイマＴ３は上述したようにその設定手段例えばデイップスイッチＤＳ３によって１００ミリ秒の設定時間に設定される。
【００１２】
図３及び図４は伝送線路の伝送電圧の諸例を示す波形図であり、図３は伝送電圧が正常な場合、そして図４は伝送電圧が短絡検出用タイマＴ３の設定時間ｔ３＝１００ミリ秒以上完全に短絡レベル以下になる短絡の場合である。
【００１３】
次に、伝送線路状態検出装置ＳＣＩ３の動作を、図３及び図４の波形図も参照しながら、図５及び図６に示したフローチャートに基づいて説明する。
まず、図５のステップＳ１において、短絡検出用タイマＴ３にデイップスイッチＤＳ３から１００ミリ秒の設定時間を設定し（これと同時に他の短絡検出用タイマＴ２、Ｔ１にもデイップスイッチ（図示しない）からそれぞれ１５０ミリ秒、２００ミリ秒の設定時間を設定する。）、伝送線路の分圧抵抗４及び５で分圧された伝送電圧をＡＤ変換器６でＡＤ変換したデータをＣＰＵ７に読み込む。次に、ステップＳ２において、通常閉じているはずのスイッチ２が既に開いているかどうかを判断し、もし開いているならばステップＳ３においてＣＰＵ７に設けられたＲＯＭ（図示しない）に予め記憶させてあるスイッチ開時の短絡レベルをＣＰＵ７に設けられたＲＡＭ（図示しない）にセットするが、逆に閉じているならばステップＳ４においてＲＯＭに予め記憶させてあるスイッチ閉時の短絡レベルをＲＡＭにセットする。
【００１４】
ステップＳ５において、上述したＡＤ変換データが図４の点Ａで示すように上述した短絡レベル以下となって短絡であることが分かると、プログラムはサブルーチンＳＨＲＴＳＥＴに進む。
このサブルーチンＳＨＲＴＳＥＴ（図６）では、ステップＳ１１においてＣＰＵ７に設けられた短絡検出用タイマＴ３（並びにＴ２及びＴ１）をスタートさせ、上述した設定時間ｔ３＝１００ミリ秒を経過したことがステップＳ１２で分かれば、“短絡”が検出され、ステップＳ１３にてＣＰＵ７はその出力端子ＯＣＯからＨレベルの開信号をトランジスタ８のベースに供給することによりこのトランジスタ８は導通してスイッチ２を開き、もってその入出力側を高抵抗３で接続し、出力側に例えば１ｍＡ程度の微小電流を流す。また、ステップＳ１４において、トランジスタ８の導通で発光ダイオード９を点灯させる。更に、ステップＳ１５において、短絡の検出を示す短絡フラグをＲＡＭにセットする。ステップＳ１６で送受信回路１０はＣＰＵ７からの短絡信号を火災受信機ＲＥに送出する。
【００１５】
ステップＳ１２で短絡検出用タイマＴ３がタイムアップしない場合は、ステップＳ１７で再度、ＡＤ変換データを読み込み、ステップＳ１８で短絡継続中と分かればもう一度ステップＳ１２に戻るが、短絡継続中でないならステップＳ１９で短絡検出用タイマＴ３をリセットしてもう一度ステップＳ１に戻る。
この場合と同様に、ステップＳ１２で短絡検出用タイマＴ３がタイムアップしてスイッチ２を開き、高抵抗３を接続すると、短絡継続中でなくなるので他の短絡検出用タイマＴ２及びＴ１はリセットされる。
【００１６】
次に、ステップＳ５において短絡ではないと分かれば、プログラムはステップＳ６に進んで通常閉じているはずのスイッチ２がすでに開いているかどうかを判断し、もし開いているならば伝送線路が短絡状態から正常状態に復旧されており、ステップＳ７においてＣＰＵ７はその出力端子ＯＣＯからＬレベルの閉信号をトランジスタ８のベースに供給することによりこのトランジスタ８を不導通にし、発光ダイオード９を消灯すると共にスイッチ２を閉じる。また、ステップＳ８において伝送線路が復旧する前にセットされていた短絡フラグをリセットし、ステップＳ９で送受信回路１０はＣＰＵ７からの復旧信号を火災受信機に送出する。
【００１７】
なお、本実施例では短絡ではなく、スイッチ２が開いている場合は短絡状態から正常状態に復旧されたと判断したが、復旧検出用タイマ（図示しない）を設け、この復旧検出用タイマがタイムアップした場合に正常状態に復旧したとしてもよい。この場合、復旧検出用タイマは上述したようなタイマ設定時間設定手段を用いてその設定時間を設定してもよい。また、各伝送線路状態検出装置で同じ設定時間の復旧検出用タイマにしてもよい。
ステップＳでもしスイッチ２が閉じているならば、正常状態であるからプログラムはもう一度ステップＳ１に戻る。
更に、本実施例では各伝送線路状態検出装置が伝送線路の短絡状態を検出する例について述べたが、各伝送線路状態検出装置が伝送線路の短絡状態に近い異常状態を検出するようにしてもよい。従って、異常検出用タイマ（図示しない）を有する場合には、上述したようなタイマ設定時間設定手段を用いてその設定時間を設定すればよい。
【００１８】
図７はこの発明に用いられ得る他の伝送線路状態検出装置を一部ブロック図で示す回路図である。図２のものとは、短絡検出用タイマＴ３及びデイップスイッチＤＳ３を検出装置ではなく監視装置に設けた点が違う。
監視装置ＭＭＡは、分圧抵抗４及び５と、分圧抵抗４及び５の接続点に−入力端子が接続され且つ上述した短絡レベルに相当する基準電圧源Ｖｓが＋入力端子に接続された短絡検出用コンパレータ１１と、この短絡検出用コンパレータ１１の出力側とＣＰＵ７Ａの間に接続された短絡検出用タイマＴ３と、この短絡検出用タイマＴ３に接続されたデイップスイッチＤＳ３とを含む。
【００１９】
監視装置ＭＭＡ中の短絡検出用コンパレータ１１は、伝送電圧が短絡状態を示す短絡レベルに相当する基準電圧以下になる時に出力を出す。短絡検出用タイマＴ３は、短絡検出用コンパレータ１１の出力がデイップスイッチＤＳ３によって設定された時間以上短絡状態が継続する時に出力を出す。ＣＰＵ７Ａは、短絡検出用タイマＴ３の出力に基づいてスイッチ２を開かせる開信号及び短絡状態を示す短絡信号を発生する。
なお、図２の場合と同様に、各伝送線路状態検出装置の監視装置ＭＭＡが異常検出用タイマ（図示しない）及び復旧検出用タイマ（図示しない）を有する場合には、上述したようなタイマ設定時間設定手段を用いてその設定時間を設定すればよい。また、復旧検出用タイマは各伝送線路状態検出装置で同じタイマ設定時間にしてもよい。
【００２０】
【発明の効果】
以上、詳述したように、請求項１の火災報知設備は、火災受信機と、この火災受信機から延び出た電源線兼信号線である一対の伝送線路と、これら伝送線路に直列に次々に挿入され、前記伝送線路の短絡状態を検出する短絡検出用タイマを個別に有する複数個の伝送線路状態検出装置と、前記タイマに接続されてその設定時間を設定する手段とを備え、この設定手段により前記火災受信機に近いタイマほど設定時間を長く設定したので、伝送線路の短絡時に本来動作させるべき伝送線路状態検出装置を動作させることができると云う効果を奏する。
【図面の簡単な説明】
【図１】この発明の一実施例を示すブロック図である。
【図２】この発明に用いられ得る伝送線路状態検出装置を一部ブロック図で示す回路図である。
【図３】伝送電圧が正常である場合の波形図である。
【図４】伝送電圧が短絡である場合の波形図である。
【図５】この発明の一実施例の動作説明用フローチャートである。
【図６】ＳＨＲＴＳＥＴサブルーチンのフローチャートである。
【図７】伝送線路状態検出装置の他の例を一部ブロック図で示す回路図である。
【符号の説明】
ＳＣＩ１，ＳＣＩ２，ＳＣＩ３    伝送線路状態検出装置
１Ｐ    伝送線路の正導体
１Ｎ    伝送線路の負導体
２    スイッチ
３    高抵抗
ＭＭ，ＭＭＡ    監視装置
４，５    分圧抵抗
６    ＡＤ変換器
ＤＭ    検出装置
７，７Ａ    ＣＰＵ
８    トランジスタ
９    発光ダイオード
１０    送受信回路
１１    短絡検出用コンパレータ
Ｔ１，Ｔ２，Ｔ３    短絡検出用タイマ
【図１】
0003542094.tif 000002
【図２】
0003542094.tif 000003
【図３】
0003542094.tif 000004
【図４】
0003542094.tif 000005
【図５】
0003542094.tif 000006
【図６】
0003542094.tif 000007
【図７】
0003542094.tif 000008